(57)【要約】【課題】基板と対向する面を有する主部から照射される光量に対する、基板と交差する方向に突出する傾斜部から照射される相対光量を、目的に応じて、任意に設定することができる光源ユニットを提供することを目的とする。【課題手段】発光素子１が実装された基板３と、基板３が取り付けられたフレーム１０と、基板３を覆い、フレーム１０に取り付けられたカバー２０と、を備え、カバー２０は、基板３と対向する面を有する第１のカバー部２１と、基板３と交差する方向に突出する第２のカバー部２２と、を有し、第１のカバー部２１の透過率は、第２のカバー部２２の透過率と異なること、を特徴とする。【選択図】      図４
2018195498.tif 000002
【特許請求の範囲】
【請求項１】
発光素子が実装された基板と、
前記基板が取り付けられたフレームと、
前記基板を覆い、前記フレームに取り付けられたカバーと、
を備え、
前記カバーは、前記基板と対向する面を有する第１のカバー部と、前記基板と交差する方向に突出する第２のカバー部と、を有し、
前記第１のカバー部の透過率は、前記第２のカバー部の透過率と異なること、
を特徴とする光源ユニット。
【請求項２】
前記第２のカバー部の透過率は、前記第１のカバー部の透過率よりも高いこと、
を特徴とする請求項１に記載の光源ユニット。
【請求項３】
前記第１のカバー部の反射率は、前記第２のカバー部の反射率以上であること、
を特徴とする請求項２に記載の光源ユニット。
【請求項４】
前記第１のカバー部の透過率は、前記第２のカバー部の透過率よりも高いこと、
を特徴とする請求項１に記載の光源ユニット。
【請求項５】
前記第２のカバー部の反射率は、前記第１のカバー部の反射率以上であること、
を特徴とする請求項４に記載の光源ユニット。
【請求項６】
前記カバーは、垂直方向から前記フレームに接続する第１の接続部をさらに有し、
前記フレームの透過率が前記第１のカバー部の透過率よりも高い場合は、
前記第１の接続部の透過率は、前記第１のカバー部の透過率以下であること、
を特徴とする請求項１から請求項５のいずれか一項に記載の光源ユニット。
【請求項７】
前記カバーは、垂直方向から前記フレームに接続する第１の接続部をさらに有し、
前記フレームの反射率が前記第１のカバー部の反射率よりも低い場合は、
前記第１の接続部の反射率は、前記第１のカバー部の反射率以上であること、
を特徴とする請求項１から請求項５いずれか一項に記載の光源ユニット。
【請求項８】
前記フレームは、前記基板が取り付けられる取り付け部と、前記基板と交差する方向に突出し、前記カバーが取り付けられる第１の側部と、前記取り付け部と前記第１の側部とを接続する第２の側部と、を有し、
前記カバーは、水平方向に前記第２のカバー部が存在する位置にあり、前記第２の側部に平行である支持部をさらに有し、
前記支持部の透過率は、前記第２のカバー部の透過率以上であること、
を特徴とする請求項２又は請求項３に記載の光源ユニット。
【請求項９】
前記第２のカバー部は、端部のうち前記フレームに近い方の第１の端部が、前記フレームから遠い方の第２の端部を通る垂直軸上、又は水平方向において前記垂直軸よりも前記発光素子側にあること、
を特徴とする請求項１から請求項７のいずれか一項に記載の光源ユニット。
【請求項１０】
前記第２のカバー部は、端部のうち前記フレームに近い方の第１の端部が、前記フレームから遠い方の第２の端部よりも水平方向において前記発光素子に近いこと、
を特徴とする請求項１から請求項７のいずれか一項に記載の光源ユニット。
【請求項１１】
被取り付け部に取り付けられる本体ユニットと、
前記本体ユニットに着脱可能な、請求項１から請求項１０のいずれか一項に記載の光源ユニットと、
を備えた照明器具。
【発明の詳細な説明】
【技術分野】
【０００１】
本発明は、光源ユニット及び照明器具に関するものである。
【背景技術】
【０００２】
天井面等に取り付けられる照明器具は、天井面等への取り付け機構を有する本体ユニットと、本体ユニットに着脱可能であり、光源モジュールを有する光源ユニットとを備える。光源ユニットは、発光素子が実装された基板と、基板が取り付けられたフレームと、基板を覆い、フレームに取り付けられたカバーとを備える。発光素子から発せられた光は、カバーを通って、カバーから照明器具の外部へ照射される。
【０００３】
カバーは、基板と対向する面を有する主部と、基板と交差する方向に突出する傾斜部とを有し、主部と傾斜部とは、同一の材料によって形成される（例えば、特許文献１）。
【先行技術文献】
【特許文献】
【０００４】
【特許文献１】特開２０１６−１３６５３３号公報
【発明の概要】
【発明が解決しようとする課題】
【０００５】
このような光源ユニットにあっては、主部と傾斜部とが同一の材料によって形成されているので、主部からの照射される光量に対する傾斜部から照射される相対光量を変えることについて考慮されていなかった。
【０００６】
本発明は、上述のような問題を解決するためになされたものであり、主部から照射される光量に対する傾斜部から照射される相対光量を、目的に応じて、任意に設定することができる光源ユニットを提供することを目的とする。
【課題を解決するための手段】
【０００７】
本発明にかかる光源ユニットは、発光素子が実装された基板と、基板が取り付けられたフレームと、基板を覆い、フレームに取り付けられたカバーと、を備え、カバーは、基板と対向する面を有する第１のカバー部と、基板と交差する方向に突出する第２のカバー部と、を有し、第１のカバー部の透過率は、第２のカバー部の透過率と異なること、を特徴とする。
【発明の効果】
【０００８】
本発明にかかる光源ユニットによれば、第１のカバー部の透過率は、第２のカバー部の透過率と異なるので、第１のカバー部から照射される光量に対する第２のカバー部から照射される相対光量を、目的に応じて、任意に設定することができる。
【図面の簡単な説明】
【０００９】
【図１】本発明の実施の形態１にかかる照明器具を示す斜視図である。
【図２】本発明の実施の形態１にかかる照明器具を示す断面図である。
【図３】本発明の実施の形態１にかかる本体ユニットを示す斜視図である。
【図４】本発明の実施の形態１にかかる光源ユニットを示す分解断面図である。
【図５】本発明の実施の形態２にかかる光源ユニットを示す分解断面図である。
【図６】本発明の実施の形態３にかかる照明器具を示す断面図である。
【図７】本発明の実施の形態３にかかる光源ユニットを示す断面図である。
【図８】本発明の実施の形態４にかかる照明器具を示す断面図である。
【図９】本発明の実施の形態４にかかる光源ユニットを示す断面図である。
【図１０】本発明の実施の形態５にかかる光源ユニットを示す断面図である。
【発明を実施するための形態】
【００１０】
以下、図を用いて本発明の実施の形態について説明する。なお、各図中、同一又は相当する部分には、同一符号を付して、その説明を適宜省略又は簡略化する。また、実施の形態の説明において、「上」、「下」、「左」、「右」、「前」、「後」、「表」、「裏」といった向きは、説明の便宜上、そのように記しているだけであって、装置、器具、部品等の配置や向き等を限定するものではない。
【００１１】
実施の形態１．
図１は、本発明の実施の形態１にかかる照明器具１００を示す斜視図である。本実施の形態にかかる照明器具１００は、天井面や壁等の造営材への取り付け機構を有する本体ユニット１２０と、本体ユニット１２０に着脱可能であり、光源モジュールを有する光源ユニット１１０とを備える。本実施の形態にかかる照明器具１００は、図１に示すように、長尺状である。
【００１２】
ここで、図１に示す方向と、後述する図２から図１０に示す方向は、同じ記号かつ同じ符号であれば、同じ方向を示すものである。なお、図１から図１０では、照明器具１００の長手方向をＸ軸方向とし、短手方向とＹ軸方向とし、照明器具１００から発せられる光が進行する方向のうち主な方向を−Ｚ方向とする。すなわち、天井面や壁等の本体ユニット１２０が取り付けられた面から床面に向う方向を−Ｚ方向とする。また、図１から図１０において、垂直方向とはＺ軸方向、垂直軸とはＺ軸に平行な軸を示すとする。水平方向とはＺ軸に垂直な方向であるＸ軸方向又はＹ軸方向であり、水平軸とはＸ軸又はＹ軸に平行な軸を示すとする。
【００１３】
図２は、本発明の実施の形態１にかかる照明器具１００を示す断面図であり、図１におけるＡ−Ａ断面を示す。本実施の形態にかかる照明器具１００の本体ユニット１２０は、光源ユニット１１０の一部が挿入されて取り付けられる凹形状の収容凹部１２０ａと、＋Ｚ方向へ向うに従って、Ｙ軸方向において中心から遠ざかる方向へ広がる傾斜を有する傾斜部１２０ｂとを備える。本実施の形態において、本体ユニット１２０は、天井面や壁等の造営材である被取り付け部１５０に、ボルト等の固定具を用いて固定される。本実施の形態では、被取り付け部１５０は天井面であるとして説明する。
【００１４】
本実施の形態にかかる光源ユニット１１０は、発光素子１が実装された基板３と、基板３が取り付けられたフレーム１０と、基板３を覆い、フレーム１０に取り付けられたカバー２０とを備える。本実施の形態において光源モジュールは、発光素子１と基板３とを含む。本実施の形態にかかる照明器具１００は、本体ユニット１２０と、光源ユニット１１０との間に、電源装置５を備える。電源装置５は、発光素子１を点灯させるための電力を供給する。
【００１５】
図３は、本発明の実施の形態１にかかる本体ユニット１２０を示す斜視図である。本実施の形態にかかる本体ユニット１２０の収容凹部１２０ａは、矩形状に形成された底面部１２０ａａと、底面部１２０ａａの長辺の端部から−Ｚ方向に延びる一対の側面部１２０ａｂとを有する凹形状である。本実施の形態にかかる本体ユニット１２０は、収容凹部１２０ａに挿入される光源ユニット１１０を係止して保持する第１のバネ１２２ａ及び第２のバネ１２２ｂをさらに有する。第１のバネ１２２ａは、収容凹部１２０ａの底面部１２０ａａ、かつ本体ユニット１２０のＸ軸方向両端のうちの一方に設けられる。第２のバネ１２２ｂは、収容凹部１２０ａの底面部１２０ａａ、かつ本体ユニット１２０のＸ軸方向両端のうちの他方に設けられ、第１のバネ１２２ａと対をなす。
【００１６】
第１のバネ１２２ａ及び第２のバネ１２２ｂは、円弧状のバネ円弧部と、バネ円弧部の一端に設けられ、底面部１２０ａａに固定されるバネ固定部と、バネ円弧部の他端に設けられ、光源ユニット１１０と本体ユニット１２０とを係止するバネ突端部とを有し、ステンレス材料や、バネ鋼材などの弾性材料で形成される。第１のバネ１２２ａ及び第２のバネ１２２ｂは、上述した構造や材料に限られることはなく、板材の弾性材料を曲げて形成してもよいし、線材の弾性材料を曲げて形成してもよい。
【００１７】
本実施の形態にかかる本体ユニット１２０は、商用電源から電源装置５へ電力供給を受けるための電源線が挿し込まれる端子台１２１をさらに有する。電源線は、本体ユニット１２０の天井面側から収容凹部１２０ａ内に引き込まれる。
【００１８】
図４は、本発明の実施の形態１にかかる光源ユニット１１０を示す分解断面図であり、図１のＡ−Ａ断面における光源ユニット１１０の分解断面図を示す。図４は、光源ユニット１１０をＺ軸方向に、フレーム１０と、発光素子１が実装された基板３と、カバー２０とに分解した図である。本実施の形態にかかる光源ユニット１１０が備えるフレーム１０は、基板３が取り付けられる取り付け部１１と、基板３と交差する方向に突出し、カバー２０が取り付けられる第１の側部１２とを有する。本実施の形態において、取り付け部１１と第１の側部１２とに用いられる材料は、同じであっても異なっていてもよい。
【００１９】
本実施の形態にかかる光源ユニット１１０が備えるカバー２０は、光源ユニット１１０が組み立てられた状態において、基板３と対向する面を有する第１のカバー部２１と、基板３と交差する方向に突出する第２のカバー部２２とを有する。第１のカバー部２１の透過率は、第２のカバー部２２の透過率と異なり、本実施の形態において第１のカバー部２１の透過率は、第２のカバー部２２の透過率よりも低い。すなわち、本実施の形態において、第２のカバー部２２の透過率は、第１のカバー部２１の透過率よりも高い。ここで、第１のカバー部２１が有する基板３と対向する面とは、第１のカバー部２１が有する面のうち＋Ｚ方向に基板３がある面のみを示す。
【００２０】
また、本実施の形態おいて、第２のカバー部２２は、端部のうちフレーム１０に近い方の第１の端部が、フレーム１０から遠い方の第２の端部を通る垂直軸上、又は水平方向においてその垂直軸よりも発光素子１側にある。図４では、第２のカバー部２２は垂直軸と平行であり、第２のカバー部２２は、端部のうちフレーム１０に近い方の第１の端部が、フレームから遠い方の第２の端部を通る垂直軸上にある。
【００２１】
第１のカバー部２１及び第２のカバー部２２には、ポリカーボネート樹脂等の樹脂が用いられる。本実施の形態において、第１のカバー部２１及び第２のカバー部２２には微粒子が混ぜ込まれる。そのため、第１のカバー部２１及び第２のカバー部２２は拡散性を有する。これに限られることなく、第２のカバー部２２は、微粒子が混ぜ込まれずに、光が全透過するようなものであってもよい。
【００２２】
カバー２０は、二色成形技術によって第１のカバー部２１及び第２のカバー部２２を一体に成形してもよいし、第１のカバー部２１と第２のカバー部２２とを別々に成形してから接着剤等によって第１のカバー部２１と第２のカバー部２２とを貼り付けてもよい。その他、第２のカバー部２２に用いる予定の材料を使用して、第１のカバー部２１及び第２のカバー部２２を一体に成形してから、第１のカバー部２１に相当する箇所に、第１のカバー部２１の透過率と第２のカバー部２２の透過率とを異ならせるための材料を塗布してもよい。カバー２０の成形方法は特に限定されないが、二色成形技術によって第１のカバー部２１及び第２のカバー部２２を一体に成形する方法が、好ましい。工程が少なく、複雑な方法でないからである。また、光源ユニット１１０内に埃等が入るのを防ぐことができるからである。
【００２３】
本実施の形態にかかるカバー２０は、垂直方向からフレーム１０に接続する第１の接続部２３と、水平方向からフレーム１０に接続する第２の接続部２４とをさらに有する。本実施の形態において、第２の接続部２４は、第１の側部１２と平行である。第１の接続部２３及び第２の接続部２４には、第２のカバー部２２と同じ材料が用いられてもよいし、第１のカバー部２１と同じ材料が用いられてもよい。
【００２４】
第１の接続部２３及び第２の接続部２４に用いられる材料は特に限定されないが、透過率が低いものが好ましい。例えば、フレーム１０の取り付け部１１と第１の側部１２の透過率が同じであり、その透過率が第１のカバー部２１の透過率よりも高い場合は、第１の接続部２３の透過率は、第１のカバー部２１の透過率以下であることが好ましい。フレーム１０の取り付け部１１と第１の側部１２の透過率が異なり、取り付け部１１の透過率が第１のカバー部２１の透過率よりも高い場合は、第１の接続部２３の透過率は、第１のカバー部２１の透過率以下であることが好ましい。第１のカバー部２１で反射した光が、フレーム１０を透過してしまい、カバー２０の光の取り出し効率が下がるのを防ぐためである。また、フレーム１０の反射率が高ければ、第１の接続部２３及び第２の接続部２４は、透過率が高くてもよい。
【００２５】
さらに、フレーム１０の取り付け部１１及び第１の側部１２は、反射率が高いものが好ましい。例えば、フレーム１０の取り付け部１１と第１の側部１２の反射率が同じであり、その反射率が第１のカバー部２１の反射率よりも低い場合は、第１の接続部２３の反射率は、第１のカバー部２１の反射率以上であることが好ましい。フレーム１０の取り付け部１１と第１の側部１２の反射率が異なり、取り付け部１１の反射率が第１のカバー部２１の反射率よりも低い場合は、第１の接続部２３の反射率は、第１のカバー部２１の反射率以上であることが好ましい。第１のカバー部２１で反射した光を第１の接続部２３で反射することができるので、カバー２０の光の取り出し効率を上げることができるからである。また、光を吸収しないものが好ましい。
【００２６】
以上のように、本実施の形態にかかる照明器具１００は、光源ユニット１１０が組み立てられた状態において、発光素子１が実装された基板３と対向する面を有する第１のカバー部２１と、基板３と交差する方向に突出する第２のカバー部２２とを有するカバー２０を備え、第２のカバー部２２の透過率は、第１のカバー部２１の透過率よりも高い。そのため、第１のカバー部２１から照射される光量に対する第２のカバー部２２から照射される相対光量を、目的に応じて、任意に設定することができる。本実施の形態では、第１のカバー部２１の透過率と第２のカバー部２２の透過率とが同じ場合よりも、第１のカバー部２１から照射される光量に対する第２のカバー部２２から照射される相対光量を多くすることができる。
【００２７】
発光素子１から発せられる光のうち、狭角方向の光は第１のカバー部２１に入射し、広角方向の光は第２のカバー部２２に入射する。第１のカバー部２１に入射した光のうちの一部は、第１のカバー部２１から照射されずに、第１のカバー部２１で反射したのちに第２のカバー部２２に入射する。発光素子１から発せられる光のうち、広角方向の光は狭角方向の光よりも光束が小さい。また、第１のカバー部２１で反射したのちに第２のカバー部２２に入射した光は、第１のカバー部２１で反射する際にいくらかの光量を失ってしまうので、光束が小さい。そのため、第２のカバー部２２に入射する光の光束は、第１のカバー部２１に入射する光の光束よりも小さい。
【００２８】
第１のカバー部２１に入射した光は、第１のカバー部２１が拡散性を有するので、第１のカバー部２１で拡散されて、第１のカバー部２１から床面側に照射される。第１のカバー部２１から床面側に照射される光は、第１のカバー部２１で拡散されることにより、ムラが少ない光となる。光が物質を通る際、いくらかの光量が失われる。第１のカバー部２１の透過率と第２のカバー部２２の透過率とが同じ場合、失われる光量の割合は同じである。そのため、第１のカバー部２１の透過率と第２のカバー部２２の透過率とが同じ場合、第２のカバー部２２に入射する光の光束が第１のカバー部２１に入射する光の光束よりも小さいことに主に起因して、第２のカバー部２２から照射される光量は、第１のカバー部２２から照射される光量よりも少なくなる。
【００２９】
本実施の形態において、第１のカバー部２１の透過率よりも第２のカバー部２２の透過率の方が高い。そのため、第２のカバー部２２に入射した光が第２のカバー部２２を通る際に失う光量の割合は、第１のカバー部２１に入射した光が第１のカバー部２１を通る際に失う光量の割合よりも少ない。以上より、本実施の形態では、第１のカバー部２１の透過率と第２のカバー部２２の透過率とが同じ場合よりも、第１のカバー部２１から照射される光量に対する第２のカバー部２２から照射される相対光量を多くすることができる。
【００３０】
したがって、第１のカバー部２１の透過率と第２のカバー部２２の透過率との差によっては、第１のカバー部２１の透過率と第２のカバー部２２の透過率とが同じ場合よりも、第１のカバー部２１から照射される光量と第２のカバー部２２から照射される光量との差を少なくすることができる。また、第１のカバー部２１の透過率と第２のカバー部２２の透過率との差によっては、第１のカバー部２１から照射される光量よりも第２のカバー部２２から照射される光量を多くすることができる。
【００３１】
第１のカバー部２１から照射される光量と第２のカバー部２２から照射される光量との差を少なくすることができれば、天井面を見上げた時に、照明器具１００を眩しく感じることを防ぐことができる。第１のカバー部２１から照射される光量と第２のカバー部２２から照射される光量との差が大きいと、天井面を見上げた時に、照明器具１００と照明器具１００の周囲との明暗差が大きくなるので、照明器具１００を眩しいと感じてしまう。一方、第１のカバー部２１から照射される光量と第２のカバー部２２から照射される光量との差が少なくなれば、例え第１のカバー部２１から照射される光量が変わらなくても、天井面を見上げた時に、照明器具１００と照明器具１００の周囲との明暗差が少なくなるので、照明器具１００を眩しく感じることを防ぐことができる。
【００３２】
また、第１のカバー部２１から照射される光量と第２のカバー部２２から照射される光量との差を少なくすることができれば、複数の照明器具１００を設置した部屋において天井面を見上げた時に、天井面が縞模様に見えることを防ぐことができる。第１のカバー部２１から照射される光量と第２のカバー部２２から照射される光量との差が大きいと、複数の照明器具１００を設置した部屋において、隣り合う照明器具１００の間の領域と照明器具１００との明暗差が大きくなり、天井面が縞模様に見えるからである。
【００３３】
さらに、第１のカバー部２１から照射される光量と第２のカバー部２２から照射される光量との差を少なくすることができれば、天井面が低く見えることを防ぐことができる。第１のカバー部２１から照射される光量と第２のカバー部２２から照射される光量との差が大きいと、照明器具１００と照明器具１００の周囲との明暗差が大きくなるので、照明器具１００の周囲の暗さが目立ち、天井面が低く見えてしまうからである。
【００３４】
また、第１のカバー部２１から照射される光量よりも第２のカバー部２２から照射される光量を多くすることができれば、本実施の形態にかかる照明器具１００を間接照明として使用することができる。本実施の形態にかかる照明器具１００によって天井面を通常よりも明るく照らすことができるので、天井面からの反射光によって床面を照らすことが可能になるからである。
【００３５】
以上のように、本実施の形態にかかる照明器具１００は、第１のカバー部２１から照射される光量に対する第２のカバー部２２から照射される相対光量を、目的に応じて、任意に設定することができる。
【００３６】
さらに、本実施の形態では、第１のカバー部２１から照射される光量よりも第２のカバー部２２から照射される光量を多くする際に、第１のカバー部２１の透過率よりも第２のカバー部２２の透過率の方を高くするのに加えて、第１のカバー部２１の反射率を第２のカバー部２２の反射率以上としてもよい。第１のカバー部２１の反射率が第２のカバー部２２の反射率以上であれば、第１のカバー部２１の反射率が第２のカバー部２２の反射率よりも低い場合よりも、第１のカバー部２１を通らずに反射したのち第２のカバー部２２から照射される光が、多くなるからである。
【００３７】
また、本実施の形態おいて、第２のカバー部２２は、端部のうちフレーム１０に近い方の第１の端部が、フレーム１０から遠い方の第２の端部を通る垂直軸上、又は水平方向においてその垂直軸よりも発光素子１側にある。そのため、照明器具１００を床面側から天井面を見上げたときに（＋Ｚ方向の向きに見たときに）、光源ユニット１１０内が見えるのを抑制することができる。第１のカバー部２１よりも透過率の高く、中が見えやすい第２のカバー部２２が、第１のカバー部２１の両端それぞれを通る垂直軸で挟まれた領域内であり、その軸上を含む領域内にあるからである。
【００３８】
本実施の形態において、第２のカバー部２２にプリズム等の光学制御機能を、さらに持たせてもよい。第２のカバー部２２にプリズム等の光学制御機能をさらに持たせると、第２のカバー部２２から照射される光の方向をさらに調整しやすくなる。
【００３９】
なお、本実施の形態にかかる光源ユニット１１０のカバー２０は、第２のカバー部２２をＹ軸対称に２つ有しているが、１つしか有さないとしてもよい。その他、本実施の形態にかかる光源ユニット１１０のカバー２０が、第２のカバー部２２を２つ有するとしても、それらがＹ軸対称である必要はない。また、本実施の形態における発光素子１には、ＬＥＤ（Ｌｉｇｈｔ  Ｅｍｉｔｔｉｎｇ  Ｄｉｏｄｅ）や有機エレクトロルミネッセンス等が考えられるが、特に限定されるものではない。
【００４０】
なお、本実施の形態において、透過率とは光の透過率のことを示し、反射率とは光の反射率のことを示す。
【００４１】
実施の形態２．
次に、本発明の実施の形態２にかかる光源ユニット２１０について説明する。本発明の実施の形態２では、本発明の実施の形態１と相違する部分について説明し、同一又は対応する部分についての説明は省略する。本発明の実施の形態２にかかる光源ユニット２１０は、本発明の実施の形態１にかかる光源ユニット１１０とは、第１のカバー部２１及び第２のカバー部２２の透過率が異なる。
【００４２】
図５は、本発明の実施の形態２にかかる光源ユニット２１０を示す分解断面図である。図５は、光源ユニット２１０をＺ軸方向に、フレーム１０と、発光素子１が実装された基板３と、カバー４０とに分解した図である。本実施の形態にかかる光源ユニット２１０が備えるカバー４０は、光源ユニット２１０が組み立てられた状態において、基板３と対向する面を有する第１のカバー部４１と、基板３と交差する方向に突出する第２のカバー部４２とを有する。第１のカバー部４１の透過率は、第２のカバー部４２の透過率と異なり、本実施の形態において第１のカバー部４１の透過率は、第２のカバー部４２の透過率よりも高い。すなわち、本実施の形態において、第２のカバー部４２の透過率は、第１のカバー部４１の透過率よりも低い。ここで、第１のカバー部４１が有する基板３と対向する面とは、第１のカバー部４１が有する面のうち＋Ｚ方向に基板３がある面のみを示す。
【００４３】
第１のカバー部４１及び第２のカバー部４２には、ポリカーボネート樹脂等の樹脂が用いられる。本実施の形態において、第１のカバー部４１及び第２のカバー部４２には微粒子が混ぜ込まれる。そのため、第１のカバー部４１及び第２のカバー部４２は拡散性を有する。これに限られることなく、第２のカバー部４２は、微粒子が混ぜ込まれずに、光が全透過するようなものであってもよい。
【００４４】
カバー４０は、二色成形技術によって第１のカバー部４１及び第２のカバー部４２を一体に成形してもよいし、第１のカバー部４１と第２のカバー部４２とを別々に成形してから接着剤等によって第１のカバー部４１と第２のカバー部４２とを貼り付けてもよい。その他、第１のカバー部４１に用いる予定の材料を使用して、第１のカバー部４１及び第２のカバー部４２を一体に成形してから、第２のカバー部４２に相当する箇所に、第１のカバー部４１の透過率と第２のカバー部４２の透過率とを異ならせるための材料を塗布してもよい。カバー４０の成形方法は特に限定されないが、二色成形技術によって第１のカバー部４１及び第２のカバー部４２を一体に成形する方法が、好ましい。工程が少なく、複雑な方法でないからである。また、光源ユニット２１０内に埃等が入るのを防ぐことができるからである。
【００４５】
本実施の形態にかかるカバー４０は、垂直方向からフレーム１０に接続する第１の接続部２３と、水平方向からフレーム１０に接続する第２の接続部２４とをさらに有する。本実施の形態において、第２の接続部２４は、第１の側部１２と平行である。本実施の形態において、第１の接続部２３及び第２の接続部２４に用いられる材料は特に限定されないが、透過率が低いものが好ましい。例えば、フレーム１０の取り付け部１１と第１の側部１２の透過率が同じである場合は、その透過率が、第１のカバー部４１の透過率よりも高い場合は、第１の接続部２３の透過率は第１のカバー部４１の透過率以下であることが好ましい。フレーム１０の取り付け部１１と第１の側部１２の透過率が異なる場合は、取り付け部１１の透過率が、第１のカバー部４１の透過率よりも高い場合は、第１の接続部２３の透過率は第１のカバー部４１の透過率以下であることが好ましい。第１のカバー部２１で反射した光が、フレーム１０を透過してしまい、カバー４０の光の取り出し効率が下がるのを防ぐためである。また、フレーム１０の反射率が高ければ、第１の接続部２３及び第２の接続部２４は、透過率が高くてもよい。
【００４６】
さらに、フレーム１０の取り付け部１１及び第１の側部１２は、反射率が高いものが好ましい。例えば、フレーム１０の取り付け部１１と第１の側部１２の反射率が同じであり、その反射率が第１のカバー部４１の反射率よりも低い場合は、第１の接続部２３の反射率は、第１のカバー部４１の反射率以上であることが好ましい。フレーム１０の取り付け部１１と第１の側部１２の反射率が異なり、取り付け部１１の反射率が第１のカバー部４１の反射率よりも低い場合は、第１の接続部２３の反射率は、第１のカバー部４１の反射率以上であることが好ましい。第１のカバー部４１で反射した光を第１の接続部２３で反射することができるので、カバー４０の光の取り出し効率を上げることができるからである。また、光を吸収しないものが好ましい。
【００４７】
以上のように、本実施の形態にかかる照明器具は、発光素子１が実装された基板３と対向する面を有する第１のカバー部４１と、基板３と交差する方向に突出する第２のカバー部４２とを有するカバー４０を備え、第１のカバー部４１の透過率は、第２のカバー部４２の透過率よりも高い。そのため、第１のカバー部４１から照射される光量に対する第２のカバー部４２から照射される相対光量を、目的に応じて、任意に設定することができる。
【００４８】
本実施の形態では、第１のカバー部４１の透過率と第２のカバー部４２の透過率とが同じ場合よりも、第１のカバー部４１から照射される光量に対する第２のカバー部４２から照射される相対光量を少なくすることができる。すなわち、本実施の形態では、第１のカバー部４１の透過率と第２のカバー部４２の透過率とが同じ場合よりも、第２のカバー部４２から照射される光量に対する第１のカバー部４１から照射される相対光量を多くすることができる。すなわち、第２のカバー部４２から照射される光量よりも第１のカバー部４１から照射される光量の方が多い状態で、第１のカバー部４１の透過率と第２のカバー部４２の透過率とが同じ場合よりも、第１のカバー部４１から照射される光量と第２のカバー部４２から照射される光量との差を大きくすることができる。
【００４９】
第１のカバー部４１の透過率と第２のカバー部４２の透過率とが同じ場合よりも、第２のカバー部４２から照射される光量に対する第１のカバー部４１から照射される相対光量を多くして、第１のカバー部４１から照射される光量と第２のカバー部４２から照射される光量との差を大きくすることができれば、本実施の形態にかかる照明器具をスポットライトとして使用することができる。カバー４０から照射される光の配光角度を狭くして、光を集光することができるからである。
【００５０】
また、第１のカバー部４１に入射した光は、第１のカバー部４１が拡散性を有するので、第１のカバー部４１で拡散されて、第１のカバー部４１から床面側に照射される。第１のカバー部４１から床面側に照射される光は、第１のカバー部４１で拡散されることにより、ムラの少ない光とすることができる。
【００５１】
以上のように、本実施の形態にかかる照明器具１００は、目的に応じて、第１のカバー部４１から照射される光量に対する第２のカバー部４２から照射される相対光量を、任意に設定することができる。
【００５２】
さらに、本実施の形態において、本実施の形態にかかる照明器具は、第１のカバー部４１の透過率を第２のカバー部４２の透過率よりも高くするのに加えて、第２のカバー部４２の反射率を第１のカバー部４１の反射率以上としてもよい。第２のカバー部４２の反射率が第１のカバー部４１の反射率以上であれば、第２のカバー部４２の反射率が第１のカバー部４１の反射率よりも低い場合よりも、第２のカバー部４２を通らずに反射したのち第１のカバー部４１から照射される光が、多くなる。そのため、カバー４０から照射される光の配光角度をさらに狭くして、光を集光することができるからである。
【００５３】
実施の形態３．
次に、本発明の実施の形態３にかかる光源ユニットについて説明する。本発明の実施の形態３では、本発明の実施の形態１及び本発明の実施の形態２と相違する部分について説明し、同一又は対応する部分についての説明は省略する。本発明の実施の形態３にかかる光源ユニット３１０は、本発明の実施の形態１にかかる光源ユニット１１０及び本発明の実施の形態２にかかる光源ユニット２１０とは、第２のカバー部の角度が異なる。
【００５４】
図６は、本発明の実施の形態３にかかる照明器具３００を示す断面図である。本実施の形態にかかる光源ユニット３１０は、発光素子１が実装された基板３と、基板３が取り付けられたフレーム１０と、基板３を覆い、フレーム１０に取り付けられたカバー６０とを備える。
【００５５】
図７は、本発明の実施の形態３にかかる光源ユニット３１０を示す断面図である。カバー６０は、基板３と対向する面を有する第１のカバー部６１と、基板３と交差する方向に突出する第２のカバー部６２とを有する。第１のカバー部６１の透過率は、第２のカバー部６２の透過率と異なる。本実施の形態において、第１のカバー部６１の透過率と第２のカバー部６２の透過率との関係は、本発明の実施の形態１にかかる光源ユニット１１０の第１のカバー部２１の透過率と第２のカバー部２２の透過率との関係と同じであるとする。
【００５６】
本実施の形態にかかる光源ユニット３１０の第２のカバー部６２は、端部のうちフレーム１０に近い方の第１の端部が、フレーム１０から遠い方の第２の端部よりも、水平方向において発光素子１に近い。すなわち、第２のカバー部６２は、端部のうちフレーム１０に近い方の第１の端部が、第１のカバー部６１の両端をそれぞれ通る垂直軸で挟まれた領域内であり、その軸上を含まない領域内にある。
【００５７】
そのため、本実施の形態にかかる照明器具３００は、照明器具を床面側から天井面を見上げたときに（＋Ｚ方向の向きに見たときに）、光源ユニット３１０内が見えるのを、本発明の実施の形態１及び本発明の実施の形態２よりも抑制することができる。さらに、第２のカバー部６２は、本発明の実施の形態１及び本発明の実施の形態２よりも、天井面を明るく照らすことができる。なぜなら、第２のカバー部６２に入射する光の角度が、第２のカバー部６２に入射した光が第２のカバー部６２で屈折して第２のカバー部６２から出射したあと、天井面に向う方向となりやすい角度となるからである。
【００５８】
本実施の形態においても、本発明の実施の形態１と同様の効果を得ることができることは言うまでもない。
【００５９】
実施の形態４．
次に、本発明の実施の形態４にかかる光源ユニット４１０について説明する。本発明の実施の形態４では、本発明の実施の形態１から本発明の実施の形態３と相違する部分について説明し、同一又は対応する部分についての説明は省略する。本発明の実施の形態４にかかる光源ユニット４１０は、本発明の実施の形態１から本発明の実施の形態３にかかる光源ユニットとは、フレーム及びカバーの形状が異なる。
【００６０】
図８は、本発明の実施の形態４にかかる照明器具４００を示す断面図である。本実施の形態にかかる光源ユニット４１０は、発光素子１が実装された基板３と、基板３が取り付けられたフレーム３０と、基板３を覆い、フレーム３０に取り付けられたカバー８０とを備える。なお、図８では、本体ユニット１２０と光源ユニット４１０との間に備える電源装置５の図示を省略する。
【００６１】
図９は、本発明の実施の形態４にかかる光源ユニット４１０を示す断面図である。フレーム３０は、基板３が取り付けられる取り付け部１１と、基板３と交差する方向に突出し、カバー２０が取り付けられる第１の側部１２と、取り付け部１１と第１の側部１２とを接続する第２の側部３３とを有する。第２の側部３３は、端部のうち取り付け部１１と接続する第３の端部よりも、第１の側部１２と接続する第４の端部の方が、垂直方向において第１のカバー部８１に近い。また、第４の端部よりも第３の端部の方が、水平方向において発光素子１に近い。本実施の形態において第２の側部３３は、Ｚ軸と平行ではなく、Ｚ軸と交差する方向に突出する。
【００６２】
本実施の形態にかかる光源ユニット４１０が備えるカバー８０は、基板３と対向する面を有する第１のカバー部８１と、基板３と交差する方向に突出する第２のカバー部８２とを有する。第１のカバー部８１の透過率は、第２のカバー部８２の透過率と異なる。第１のカバー部８１の透過率と第２のカバー部８２の透過率との関係は、本発明の実施の形態１にかかる光源ユニット１１０の第１のカバー部２１の透過率と第２のカバー部２２の透過率との関係と同じであってもよいし、本発明の実施の形態２にかかる光源ユニット２１０の第１のカバー部４１の透過率と第２のカバー部４２の透過率との関係と同じであってもよい。
【００６３】
本実施の形態にかかるカバー８０は、垂直方向からフレーム３０に接続する第１の接続部８３と、水平方向からフレーム３０に接続する第２の接続部８４とをさらに有する。第１の接続部８３は、第１の側部１２と第２の側部３３とで形成された角部を支える。第１の接続部８３及び第２の接続部８４には、第２のカバー部８２と同じ材料が用いられてもよいし、第１のカバー部８１と同じ材料が用いられてもよく、第１の接続部８３及び第２の接続部８４に用いられる材料は特に限定されない。
【００６４】
本実施の形態において、第２の側部３３の反射率は、第１のカバー部８１の反射率よりも高い。そのため、第１のカバー部８１で反射して第２の側部３３に入射した光を、さらに反射させて第２のカバー部８２から照射させることができる。又は、第２のカバー部８２で反射して第２の側部３３に入射した光を、さらに反射させて第１のカバー部８１から照射させることができる。すなわち、カバー８０の光の取り出し効率を上げることができる。
【００６５】
本実施の形態にかかる光源ユニット４１０のうち、基板３に実装された発光素子１は、収納凹部１２０ａ内にあるが、第２のカバー部８２の端部のうちフレーム１０から遠い方の第２の端部は、収納凹部１２０ａの外にある。つまり、本実施の形態において、第２のカバー部８２の端部のうちフレーム１０から遠い方の第２の端部は、傾斜部１２０ｂと収納凹部１２０ａの側面部１２０ａｂとの交点を通るＹ軸に平行な線よりも−Ｚ側にあり、第２のカバー部８２の全てが収納凹部１２０ａ内に収まっていない。
【００６６】
そのため、第２のカバー部８２の透過率が第１のカバー部８１の透過率よりも高い場合において、本実施の形態にかかる照明器具４００は、発光素子１が本体ユニット１２０の収納凹部１２０ａ内にあったとしても、第２のカバー部８２の透過率が第１のカバー部８１の透過率と同じ場合よりも、発光素子１から発せられた光を天井面側へ照射しやすい。
【００６７】
本実施の形態においても、本発明の実施の形態１及び本発明の実施の形態２と同様の効果を得ることができることは言うまでもない。
【００６８】
実施の形態５．
次に、本発明の実施の形態５にかかる光源ユニット５１０について説明する。本発明の実施の形態５では、本発明の実施の形態１から本発明の実施の形態４と相違する部分について説明し、同一又は対応する部分についての説明は省略する。本発明の実施の形態５にかかる光源ユニット５１０は、本発明の実施の形態１から本発明の実施の形態４にかかる光源ユニットとは、フレーム及びカバーの形状が異なる。
【００６９】
図１０は、本発明の実施の形態５にかかる光源ユニット５１０を示す断面図である。本実施の形態にかかる光源ユニット５１０は、発光素子１が実装された基板３と、基板３が取り付けられたフレーム５０と、基板３を覆い、フレーム５０に取り付けられたカバー９０とを備える。
【００７０】
フレーム５０は、基板３が取り付けられる取り付け部１１と、基板３と交差する方向に突出し、カバー２０が取り付けられる第１の側部１２と、取り付け部１１と第１の側部１２とを接続する第２の側部３３と、第１の側部１２と第２の側部３３との接続を繋ぐ継ぎ手部５４とを有する。第２の側部３３は、端部のうち取り付け部１１と接続する第３の端部よりも、第１の側部１２と接続する第４の端部の方が、垂直方向において第１のカバー部９１に近い。また、第４の端部よりも第３の端部の方が、水平方向において発光素子１に近い。本実施の形態において第２の側部３３はＺ軸と平行ではなく、Ｚ軸と交差する方向に突出する。
【００７１】
本実施の形態にかかる光源ユニット４１０が備えるカバー９０は、基板３と対向する面を有する第１のカバー部９１と、基板３と交差する方向に突出する第２のカバー部９２とを有する。第１のカバー部９１の透過率は、第２のカバー部９２の透過率と異なる。第１のカバー部９１の透過率と第２のカバー部９２の透過率との関係は、本発明の実施の形態１にかかる光源ユニット１１０の第１のカバー部２１の透過率と第２のカバー部２２の透過率との関係と同じであってもよいし、本発明の実施の形態２にかかる光源ユニット２１０の第１のカバー部４１の透過率と第２のカバー部４２の透過率との関係と同じであってもよい。
【００７２】
本実施の形態にかかるカバー９０は、水平方向からフレーム５０に接続し、第１の側部１２と平行な第２の接続部９４と、水平方向に第２のカバー部９２が存在する位置にあり、第２の側部３３に平行である支持部９５とをさらに有する。第２の接続部９４と支持部９５とで継ぎ手部５４を挟み込む。本実施の形態において、第２のカバー部９２は第２の接続部９４と平行であり、第２の接続部９４とひと続きである。第２の接続部９４及び支持部９５には、第２のカバー部９２と同じ材料が用いられてもよいし、第１のカバー部９１と同じ材料が用いられてもよく、第２の接続部９４及び支持部９５に用いられる材料は特に限定されないが、透過率が高いものが好ましい。ただし、本実施の形態において、第２のカバー部９２の透過率が第１のカバー部９１の透過率よりも高い場合は、支持部９５の透過率は、第２のカバー部９２の透過率以上である。
【００７３】
本実施の形態において、フレーム５０の第２の側部３３は、反射率の高いものが好ましい。例えば、フレーム５０の第２の側部３３の反射率は、第１のカバー部９１の反射率又は第２のカバー部９２の反射率よりも高い。第２の側部３３の反射率が第１のカバー部９１の反射率よりも高ければ、第１のカバー部９１で反射して第２の側部３３に入射した光を、さらに反射させて第２のカバー部９２から照射させることができる。第２の側部３３の反射率が第２のカバー部９２の反射率よりも高ければ、第２のカバー部９２で反射して第２の側部３３に入射した光を、さらに反射させて第１のカバー部９１から照射させることができる。すなわち、カバー９０の光の取り出し効率を上げることができる。
【００７４】
さらに、本実施の形態では、支持部９５に入射した光が、第２のカバー部９２へ入射するように、光を屈折させることができるので、第２のカバー部９２へ入射する光の光量を多くすることができる。つまり、支持部９５の屈折率によって第２のカバー部９２へ入射する光の光量を調整することができるので、本実施の形態にかかるカバー９０は所定の光学特性を得やすくなる。
【００７５】
本実施の形態において、支持部９５にプリズム等の光学制御機能を、さらに持たせてもよい。支持部９５にプリズム等の光学制御機能をさらに持たせると、支持部９５から第２のカバー部９２へ向う光の方向をさらに制御しやすくなる。
【００７６】
本実施の形態においても、本発明の実施の形態１及び本発明の実施の形態２と同様の効果を得ることができることは言うまでもない。
【００７７】
なお、本発明は、発明の範囲内において、各実施の形態や変形例を自由に組み合わせること、各実施の形態を適宜、変形、省略することが可能である。各実施の形態において例示された各構成要素の寸法、材質、形状、それらの相対配置等は、本発明が適用される装置の構成や各種条件により適宜変更されるものであり、本発明はそれらの例示に限定されるものではない。また、各図における各構成要素の寸法は、実際の寸法と異なる場合がある。
【符号の説明】
【００７８】
１  発光素子、３  基板、５  電源装置、１０，３０，５０  フレーム、１１  取り付け部、１２  第１の側部、２０，４０，６０，８０，９０  カバー、２１，４１，６１，８１，９１  第１のカバー部、２２，４２，６２，８２，９２  第２のカバー部、２３，８３  第１の接続部、２４，８４，９４  第２の接続部、３３  第２の側部、５４  継ぎ手部、９５  支持部、１００，３００，４００  照明器具、１１０，２１０，３１０，４１０，５１０  光源ユニット、１２０  本体ユニット、１２０ａ  収納凹部、１２０ａａ  底面部、１２０ａｂ  側面部、１２０ｂ  傾斜部、１２１  端子台、１２２ａ  第１のバネ、１２２ｂ  第２のバネ、１５０  被取り付け部。
【図１】
2018195498.tif 000003
【図２】
2018195498.tif 000004
【図３】
2018195498.tif 000005
【図４】
2018195498.tif 000006
【図５】
2018195498.tif 000007
【図６】
2018195498.tif 000008
【図７】
2018195498.tif 000009
【図８】
2018195498.tif 000010
【図９】
2018195498.tif 000011
【図１０】
2018195498.tif 000012